(57)【特許請求の範囲】
【請求項１】
複数波長の信号光の光信号強度を波長毎に光検出部で検出し、各波長の信号光それぞれを可変光減衰器で波長毎に調整して同レベルとする光信号調整装置において、
前記波長毎の光検出部の検出信号を順次選択し、選択した検出信号に基づいて前記波長毎の制御信号を生成する制御部を有し、
前記制御部で生成した制御信号を選択された検出信号に対応する可変光減衰器に供給し、
前記制御部は、前記波長毎の光検出部の検出信号を選択する順序を示す順序テーブルを有し、前回の検出信号に対する最新の検出信号の変化量が大きい順に前記順序テーブルの示す選択順序を並べ替えることを特徴とする光信号調整装置。
【請求項２】
複数波長の信号光の光信号強度を波長毎に光検出部で検出し、各波長の信号光それぞれを可変光減衰器で波長毎に調整して同レベルとする光信号調整装置において、
前記波長毎の光検出部の検出信号を順次選択し、選択した検出信号に基づいて前記波長毎の制御信号を生成する制御部を有し、
前記制御部で生成した制御信号を選択された検出信号に対応する可変光減衰器に供給し、
前記制御部は、前記波長毎の光検出部の検出信号を選択する順序を示す順序テーブルを有し、前記検出信号の値と制御目標値との偏差が大きい順に前記順序テーブルの示す選択順序を並べ替えることを特徴とする光信号調整装置。
【請求項３】
複数波長の信号光の光信号強度を波長毎に光検出部で検出し、各波長の信号光それぞれを可変光減衰器で波長毎に調整して同レベルとする光信号調整方法において、
前記波長毎の光検出部の検出信号を順次選択し、選択した検出信号に基づいて前記波長毎の制御信号を生成し、
生成した制御信号を選択された検出信号に対応する可変光減衰器に供給し、
前記波長毎の光検出部の検出信号を選択する順序を順序テーブルで示し、
前記前記順序テーブルは、前回の検出信号に対する最新の検出信号の変化量が大きい順に選択順序を並べ替えることを特徴とする光信号調整方法。
【請求項４】
複数波長の信号光の光信号強度を波長毎に光検出部で検出し、各波長の信号光それぞれを可変光減衰器で波長毎に調整して同レベルとする光信号調整方法において、
前記波長毎の光検出部の検出信号を順次選択し、選択した検出信号に基づいて前記波長毎の制御信号を生成し、
生成した制御信号を選択された検出信号に対応する可変光減衰器に供給し、
前記波長毎の光検出部の検出信号を選択する順序を順序テーブルで示し、
前記順序テーブルは、前記検出信号の値と制御目標値との偏差が大きい順に選択順序を並べ替えることを特徴とする光信号調整方法。
【発明の詳細な説明】
【技術分野】
【０００１】
本発明は、複数波長の信号光を波長毎に調整して同レベルとする光信号調整方法及び光信号調整装置に関する。
【背景技術】
【０００２】
ＷＤＭ（Ｗａｖｅｌｅｎｇｔｈ  Ｄｉｖｉｓｉｏｎ  Ｍｕｌｔｉｐｌｅｘｅｒ：波長分割多重）伝送システムは、ＯＡＤＭ（Ｏｐｔｉｃａｌ  Ａｄｄ−Ｄｒｏｐ  Ｍｕｌｔｉｐｌｅｘｅｒ）や光アンプ等で、光波長（収容ポート）の増減設や伝送路中のスパンロスが変動した場合、通信品質を保つために、ＶＯＡ（Ｖａｒｉａｂｌｅ  Ｏｐｔｉｃａｌ  Ａｔｔｅｎｕａｔｏｒ：可変光減衰器）を用いて、光信号の強度（パワー）が一定になるよう光信号レベル調整部にて調整している。
【０００３】
図１は、従来のＷＤＭ伝送装置の一例のブロック図を示す。同図中、光伝送路を伝送された、波長λ１〜λＮが多重された光信号は光アンプ１１で増幅されたのち波長分離部（ＤＭＵＸ）１２で波長分離される。各波長の光信号は光スイッチ（ＯＳＷ）１３でスイッチングされたのち、光信号レベル調整部１４−１〜１４−Ｎで光信号の強度（パワー）が一定になるよう調整され、波長多重部（ＭＵＸ）１５で波長多重されたのち、送信アンプ１６で増幅されて光伝送路に出力される。
【０００４】
図２は、従来の光信号レベル調整部の一例のブロック図を示す。同図中、光信号レベル調整部は、光信号の強度を検出するモニタ部（ＰＤ）１４ａと、検出された光強度レベルに応じた制御信号を生成する制御部（ＣＮＴ）１４ｂと、調整部（ＶＯＡ）１４ｃを有している。
【０００５】
ところで、複数の波長それぞれに対応したＶＯＡの出力の波長多重光をモニタして各波長のレベルを分析した分析レベルと、各ＶＯＡの出力レベルとに応じて、該各ＶＯＡを制御することが提案されている（特許文献１参照）。
【特許文献１】特開２００４−１４０６３１号公報
【発明の開示】
【発明が解決しようとする課題】
【０００６】
近年の急激な光通信トラフィックの増加に伴い、ＷＤＭ伝送システムも大規模化の傾向にあり、光信号のパワーを調整する回路のコンパクト化が要求されている。
【０００７】
しかし、ＷＤＭ伝送システムの大規模化により、光信号レベル調整を行う制御部１４ｂに搭載されている補正部１４ｂ１やＶＯＡ制御部回路１４ｂ２も波長数分必要となり、回路規模が増大するという問題があった。
【０００８】
開示の装置は、回路規模を削減することを目的とする。
【課題を解決するための手段】
【０００９】
開示の一実施態様による光信号調整装置は、複数波長の信号光の光信号強度を波長毎に光検出部で検出し、各波長の信号光それぞれを可変光減衰器で波長毎に調整して同レベルとする光信号調整装置において、
前記波長毎の光検出部の検出信号を順次選択し、選択した検出信号に基づいて前記波長毎の制御信号を生成する制御部を有し、
前記制御部で生成した制御信号を選択された検出信号に対応する可変光減衰器に供給し、
前記制御部は、前記波長毎の光検出部の検出信号を選択する順序を示す順序テーブルを有し、前回の検出信号に対する最新の検出信号の変化量が大きい順に前記順序テーブルの示す選択順序を並べ替える。
【００１１】
開示の一実施態様による光信号調整方法は、複数波長の信号光の光信号強度を波長毎に光検出部で検出し、各波長の信号光それぞれを可変光減衰器で波長毎に調整して同レベルとする光信号調整方法において、
前記波長毎の光検出部の検出信号を順次選択し、選択した検出信号に基づいて前記波長毎の制御信号を生成し、
生成した制御信号を選択された検出信号に対応する可変光減衰器に供給し、
前記波長毎の光検出部の検出信号を選択する順序を順序テーブルで示し、
前記前記順序テーブルは、前回の検出信号に対する最新の検出信号の変化量が大きい順に選択順序を並べ替える。
【発明の効果】
【００１３】
本実施形態によれば、回路規模を削減することができる。
【発明を実施するための最良の形態】
【００１４】
以下、図面に基づいて実施形態を説明する。
【００１５】
＜ＷＤＭ伝送装置の構成＞
図３は、ＷＤＭ伝送装置の一実施形態のブロック図を示す。同図中、光伝送路を伝送された、波長λ１〜λＮが多重された光信号は光アンプ２１で増幅されたのち波長分離部２２で波長分離される。各波長の光信号は光スイッチ２３でスイッチングされたのち、光信号レベル調整部２４で光信号の強度（パワー）が一定になるよう調整され、波長多重部（ＭＵＸ）２５で波長多重されたのち、送信アンプ２６で増幅されて光伝送路に出力される。
【００１６】
光信号レベル調整部２４は、波長毎に設けられたモニタ及び調整部３０−１〜３０−Ｎと、共通化された制御部３５を有している。
【００１７】
図４は、光信号レベル調整部２４の一実施形態のブロック図を示す。同図中、モニタ及び調整部３０−１〜３０−Ｎそれぞれは、モニタ部３１と調整部３２を有している。モニタ部３１は、光信号の強度を検出するフォトダイオード（ＰＤ）３１ａと、フォトダイオード３１ａ出力を増幅して制御部３５に供給する増幅部３１ｂを有する。調整部３２は、制御部３５から供給される制御信号に応じてＶＯＡを駆動するＶＯＡ駆動部３２ａと、入力光信号に対する減衰量を可変する可変光減衰器（ＶＯＡ）３２ｂを有する。
【００１８】
制御部３５は、モニタ及び調整部３０−１〜３０−Ｎそれぞれのモニタ部３１から供給される光強度検出信号からいずれか１つを選択して出力する選択部（ＳＥＬ）３６と、選択部３６の出力信号をアナログ／デジタル変換するＡ／Ｄ変換部３７と、個々のフォトダイオード３１ａの特性のバラツキを補正する補正処理部３８と、補正された光強度検出値に応じてＶＯＡ制御値を生成するＶＯＡ制御部３９と、ＶＯＡ制御部３９からのＶＯＡ制御値を閾値と比較すると共に記憶する比較及びメモリ部４０と、比較及びメモリ部４０から出力される波長毎のＶＯＡ制御値を波長毎にデジタル／アナログ変換して波長毎に調整部３２に供給するＤ／Ａ変換部４１を有している。
【００１９】
図５は、ＶＯＡ制御部３９及び比較及びメモリ部４０の一実施形態の機能ブロック図を示す。同図中、図４と同一部分には同一符号を付す。
【００２０】
図５において、ＶＯＡ制御部３９及び比較及びメモリ部４０内の設定閾値レベル算出部５１には外部の図示しない上位装置から装置設定情報つまりシステム構成及び使用波長数が供給されて保持され、設定閾値レベル算出部５１はこの装置設定情報に基づいて閾値レベル（上限閾値と下限閾値、及び上限閾値と下限閾値の中心値（制御目標値））を算出して閾値メモリ５２に書き込む。この閾値は閾値メモリ５２から読み出されて設定閾値比較部５３及び変化量算出部５４に供給される。
【００２１】
設定閾値比較部５３は、補正処理部３８から供給される補正された光強度検出値と上限閾値又は下限閾値の近い方と比較して差分を求めて順序テーブル作成部５６に供給すると共に、補正された光強度検出値と中心値（制御目標値）との差分（偏差）を求め、光強度検出値と共にＶＯＡ制御部５５に供給する。ＶＯＡ制御部５５は補正された光強度検出値と中心値との差分（偏差）に応じてＶＯＡ制御値を生成する。このＶＯＡ制御値は制御メモリ５９に書き込まれる。
【００２２】
変化量算出部５４は、補正処理部３８から供給される補正された光強度検出値を前回メモリ５４ａに保持している該当波長の前回の補正された光強度検出値からの変化量を算出して順序テーブル作成部５６に供給する。そして、今回の（最新の）補正された光強度検出値を該当波長の前回の補正された光強度検出値として前回メモリ５４ａに保持する。
【００２３】
順序テーブル作成部５６は、設定閾値比較部５３から供給される光強度検出値と上限閾値又は下限閾値の近い方との差分、又は、変化量算出部５４から供給される変化量に基づいて、差分又は変化量が大きい順に順序テーブル用メモリ５７に記憶されている順序テーブルの波長番号の並べ替えを行う。
【００２４】
アドレス制御部５８は、設定閾値レベル算出部５１から波長数を供給され、順序テーブルから順次読み出される波長番号に対応する制御アドレスを生成して制御メモリ５９の読み出しアクセスを行い、これによって制御メモリ５９から読み出されるＶＯＡ制御値はデータラッチ部６０に供給され波長番号毎にラッチされる。また、アドレス制御部５８は波長選択部３６の選択タイミング、及びデータラッチ部６０のラッチタイミングを指示している。
【００２５】
データラッチ部６０は、波長毎にラッチしているＶＯＡ制御値をＤ／Ａ変換部４１に供給する。
【００２６】
＜ＷＤＭ伝送装置の動作＞
図６は、ＶＯＡ制御処理の一実施形態のフローチャートを示す。この処理は、ＶＯＡ制御部３９及び比較及びメモリ部４０により実行される。
【００２７】
同図中、ＷＤＭ伝送装置の電源投入により、ステップＳ１で装置設定情報のシステム構成及び使用波長数よりＶＯＡ制御の閾値（上限閾値と下限閾値）を設定する。次に、ステップＳ２の初期設定でモニタした光強度検出値を上記上限閾値と下限閾値の中心値とするようにＶＯＡ制御値を波長毎に求める。
【００２８】
ステップＳ３で１回目のＶＯＡ制御を行い、ＶＯＡ制御順序テーブルを作成する。次に、ステップＳ４で２回目以降のＶＯＡ制御を行い、ＶＯＡ制御順序テーブルを作成する。
【００２９】
ステップＳ５で設定変更の有無を判別し、設定変更があればステップＳ１に進み、設定変更がなければステップＳ６で装置状態を確認し、ＷＤＭ伝送装置の電源が入っていればステップＳ４に進んで処理を繰り返す。
【００３０】
図７は、ステップＳ１で実行する前処理の一実施形態の詳細フローチャートを示す。同図中、ステップＳ１１で、装置制御部からの装置設定情報つまりシステム構成及び使用波長数（Ｎ）を参照する。次に、ステップＳ１２で装置設定情報を基に、ＶＯＡ制御の閾値（上限閾値と下限閾値）を設定する。ステップＳ１３で上限閾値と下限閾値と、上限閾値と下限閾値との中心値を求めて閾値メモリ５２に書き込む。
【００３１】
図８は、ステップＳ２で実行する初期設定処理の一実施形態の詳細フローチャートを示す。同図中、ステップＳ２１で、波長番号ｎ＝１として入力波長（λｎ）を選択する。ステップＳ２２で選択された波長（λｎ）の入力レベルである光信号強度Ｐ（λｎ）［ｄＢｍ］をサンプリングする。
【００３２】
ステップＳ２３で選択した波長のフォトダイオード３１ａのバラツキ補正処理を実行する。なお、補正処理部３８には各フォトダイオード３１ａのバラツキを補正するための特性データが予め設定されている。
【００３３】
ステップＳ２４で補正された光信号強度を設定閾値の中心値とするようなＶＯＡ制御値を求める。ステップＳ２５で上記ＶＯＡ制御値を制御メモリ５９に書き込む。制御メモリ５９からは所定の制御周期で波長毎にＶＯＡ制御値が読み出されてデータラッチ部６０にラッチされ、ＶＯＡ制御が行われる。
【００３４】
この後、ステップＳ２６でｎを１だけインクリメントし、ステップＳ２７でｎが使用周波数Ｎを超えない限りステップＳ２２に進んで上記の処理を繰り返す。
【００３５】
図９は、ステップＳ３で実行する１回目のＶＯＡ制御処理の一実施形態の詳細フローチャートを示す。同図中、ステップＳ３１で、波長番号ｎ＝１として入力波長（λｎ）を選択する。ステップＳ３２で選択された波長（λｎ）の入力レベルである光信号強度Ｐ（λｎ）［ｄＢｍ］をサンプリングする。ステップＳ３３で選択した波長のフォトダイオード３１ａのバラツキ補正処理を実行する。
【００３６】
ステップＳ３４で補正された光信号強度を上限閾値及び下限閾値と比較し、補正された光信号強度が上限閾値と下限閾値の範囲内であるか否かを判別する。上限閾値と下限閾値の範囲内であればＶＯＡ制御値を変更せずに制御の順序を更新するためにステップＳ３５に進み、上限閾値と下限閾値の範囲外であればＶＯＡ制御値を変更するためにステップＳ３８に進む。
【００３７】
ステップＳ３５では補正された光信号強度が上限閾値又は下限閾値に近い順つまり中心値からの偏差が大きい順となるように順序テーブルを作成し、ステップＳ３６でこの順序テーブルを順序テーブル用メモリ５７に書き込んでステップＳ３９に進む。
【００３８】
一方、ステップＳ３８では補正された光信号強度を設定閾値の中心値とするようなＶＯＡ制御値を求める。また、ＶＯＡ制御値を求めた当該波長番号ｎを順序テーブルの先頭（１番目）とし、この順序テーブルを順序テーブル用メモリ５７に書き込んで更新する。
【００３９】
ステップＳ３９では制御メモリ５９から所定の制御周期（割り込み等による）で波長毎にＶＯＡ制御値を読み出してデータラッチ部６０にラッチして、ＶＯＡ制御が行う。
【００４０】
この後、ステップＳ４０でｎを１だけインクリメントし、ステップＳ４１でｎが使用周波数Ｎを超えない限りステップＳ３２に進んで上記の処理を繰り返す。
【００４１】
図１０は、ステップＳ４で実行する２回目以降のＶＯＡ制御処理の第１実施形態の詳細フローチャートを示す。同図中、ステップＳ５１で、波長番号ｎ＝１として入力波長（λｎ）を選択する。ステップＳ５２で選択された波長（λｎ）の入力レベルである光信号強度Ｐ（λｎ）［ｄＢｍ］をサンプリングする。ステップＳ５３で選択した波長のフォトダイオード３１ａのバラツキ補正処理を実行する。
【００４２】
ステップＳ５４で補正された光信号強度を上限閾値及び下限閾値と比較し、補正された光信号強度が上限閾値と下限閾値の範囲内であるか否かを判別する。上限閾値と下限閾値の範囲内であればＶＯＡ制御値を変更せずに制御の順序を更新するためにステップＳ５５に進み、上限閾値と下限閾値の範囲外であればＶＯＡ制御値を変更するためにステップＳ５８に進む。
【００４３】
ステップＳ５５では、今回の（最新の）補正された光強度検出値と前回の補正された光強度検出値からの変化量が大きい順となるように順序テーブルを作成し、ステップＳ５６でこの順序テーブルを順序テーブル用メモリ５７に書き込んでステップＳ５９に進む。
【００４４】
一方、ステップＳ５８では補正された光信号強度を設定閾値の中心値とするようなＶＯＡ制御値を求める。また、ＶＯＡ制御値を求めた当該波長番号ｎを順序テーブルの先頭（１番目）とし、この順序テーブルを順序テーブル用メモリ５７に書き込んで更新する。
【００４５】
ステップＳ５９では制御メモリ５９から所定の制御周期（割り込み等による）で波長毎にＶＯＡ制御値を読み出してデータラッチ部６０にラッチして、ＶＯＡ制御が行う。
【００４６】
この後、ステップＳ６０でｎを１だけインクリメントし、ステップＳ６１でｎが使用周波数Ｎを超えない限りステップＳ５２に進んで上記の処理を繰り返す。
【００４７】
図１１は、ステップＳ４で実行する２回目以降のＶＯＡ制御処理の第２実施形態の詳細フローチャートを示す。同図中、図１０と同一部分には同一符号を付す。この実施形態は１回目のＶＯＡ制御処理（図９）と同様に、補正された光信号強度が上限閾値又は下限閾値に近い順つまり中心値からの偏差が大きい順となるように順序テーブルを作成する。
【００４８】
図１１において、ステップＳ５１で、波長番号ｎ＝１として入力波長（λｎ）を選択する。ステップＳ５２で選択された波長（λｎ）の入力レベル（光信号強度）Ｐ（λｎ）［ｄＢｍ］をサンプリングする。ステップＳ５３で選択した波長のフォトダイオード３１ａのバラツキ補正処理を実行する。
【００４９】
ステップＳ５４で補正された光信号強度を上限閾値及び下限閾値と比較し、補正された光信号強度が上限閾値と下限閾値の範囲内であるか否かを判別する。上限閾値と下限閾値の範囲内であればＶＯＡ制御値を変更せずに制御の順序を更新するためにステップＳ６５に進み、上限閾値と下限閾値の範囲外であればＶＯＡ制御値を変更するためにステップＳ５８に進む。
【００５０】
ステップＳ６５では、補正された光信号強度が上限閾値又は下限閾値に近い順つまり中心値からの偏差が大きい順となるように順序テーブルを作成し、ステップＳ５６でこの順序テーブルを順序テーブル用メモリ５７に書き込んでステップＳ５９に進む。
【００５１】
一方、ステップＳ５８では補正された光信号強度を設定閾値の中心値とするようなＶＯＡ制御値を求める。また、ＶＯＡ制御値を求めた当該波長番号ｎを順序テーブルの先頭（１番目）とし、この順序テーブルを順序テーブル用メモリ５７に書き込んで更新する。
【００５２】
ステップＳ５９では制御メモリ５９から所定の制御周期（割り込み等による）で波長毎にＶＯＡ制御値を読み出してデータラッチ部６０にラッチして、ＶＯＡ制御が行う。
【００５３】
この後、ステップＳ６０でｎを１だけインクリメントし、ステップＳ６１でｎが使用周波数Ｎを超えない限りステップＳ５２に進んで上記の処理を繰り返す。
【００５４】
この実施形態では、順序テーブルの並べ替えを行うために前回の補正された光強度検出値を保持する必要がないため、前回メモリ５４ａを設ける必要がなく、メモリ容量を縮小することができる。
【００５５】
＜ＶＯＡ制御の一例＞
ＶＯＡ制御の一例について説明する。上位装置からシステム閾値−２．５〜＋０．５ｄＢｍを設定され、使用波長数Ｎ＝４を設定されると、図１２に示すように、設定閾値レベル算出部５１はシステム閾値−２．５〜＋０．５ｄＢｍから０．５ｄＢ内側に下限閾値−１．０ｄＢｍ及び上限閾値０．０ｄＢｍを算出し、これから中心値−１．０ｄＢｍを算出し、これらを閾値メモリ５２に書き込む。
【００５６】
図１３にＶＯＡ制御における各データの一例を示し、図１４にＶＯＡ制御のタイムチャートの一例を示す。
【００５７】
図１３及び図１４に示すように、初期設定（図８）において、波長λ１の補正された光信号強度が０．０ｄＢｍ、波長λ２の補正された光信号強度が＋０．５ｄＢｍ、波長λ３の補正された光信号強度が−１．０ｄＢｍ、波長λ４の補正された光信号強度が−２．０ｄＢｍとなると、これらの光信号強度が前回メモリ５４ａに保持され、各波長の光信号強度を中心値−１．０ｄＢｍとするようＶＯＡ制御値が算出されて制御メモリ５９に書き込まれ、ＶＯＡ制御が実行される。これにより、制御後の波長λ１，λ２，λ３，λ４それぞれの光信号強度は全て−１．０ｄＢｍとなる。
【００５８】
次に、１回目のＶＯＡ制御（図９）において、ＶＯＡ制御の順に、波長λ１の補正された光信号強度が−１．０ｄＢｍ、波長λ２の補正された光信号強度が−１．２ｄＢｍ、波長λ３の補正された光信号強度が−１．５ｄＢｍ、波長λ４の補正された光信号強度が−１．８ｄＢｍとなると、これらの光信号強度が前回メモリ５４ａに保持される。そして、光信号強度が下限閾値−１．０ｄＢｍ又は上限閾値０．０ｄＢｍに近い順（λ４，λ３，λ２，λ１の順）に順序テーブルを作成する。
【００５９】
また、制御メモリ５９に格納されているＶＯＡ制御値でＶＯＡ制御が実行される。これにより、制御後の波長λ１，λ２，λ３，λ４それぞれの光信号強度は−１．０ｄＢｍ，−１．２ｄＢｍ，−１．５ｄＢｍ，−１．８ｄＢｍとなる。
【００６０】
２回目のＶＯＡ制御（図１０）において、ＶＯＡ制御の順に、波長λ４の補正された光信号強度が−１．８ｄＢｍ、波長λ３の補正された光信号強度が−１．０ｄＢｍ、波長λ２の補正された光信号強度が−１．５ｄＢｍ、波長λ１の補正された光信号強度が−０．８ｄＢｍとなると、これらの光信号強度が前回メモリ５４ａに保持される。そして、今回の補正された光強度検出値と前回の補正された光強度検出値からの変化量が大きい順（λ３，λ２，λ１，λ４の順）に順序テーブルを作成する。
【００６１】
また、制御メモリ５９に格納されているＶＯＡ制御値でＶＯＡ制御が実行される。これにより、制御後の波長λ４，λ３，λ２，λ１それぞれの光信号強度は−１．８ｄＢｍ，−１．０ｄＢｍ，−１．５ｄＢｍ，−０．８ｄＢｍとなる。
【００６２】
２回目のＶＯＡ制御で図１０に示す第１実施形態を用いた場合、３回目以降のＶＯＡ制御も図１０に示す第１実施形態を用いることになるのであるが、図１２では３回目のＶＯＡ制御を図１１に示す第２実施形態を用いることとして説明する。
【００６３】
３回目のＶＯＡ制御（図１１）において、ＶＯＡ制御の順に、波長λ３の補正された光信号強度が−２．１ｄＢｍ、波長λ２の補正された光信号強度が−１．５ｄＢｍ、波長λ１の補正された光信号強度が−１．０ｄＢｍ、波長λ４の補正された光信号強度が−１．３ｄＢｍとなると、これらの光信号強度が前回メモリ５４ａに保持され、波長λ３のＶＯＡ制御値が更新される。そして、ＶＯＡ制御値を更新した波長λ３を先頭として、光信号強度が下限閾値−１．０ｄＢｍ又は上限閾値０．０ｄＢｍに近い順（λ３，λ４，λ１，λ２の順）に順序テーブルを作成する。
【００６４】
また、制御メモリ５９に格納されているＶＯＡ制御値でＶＯＡ制御が実行される。これにより、制御後の波長λ３，λ２，λ１，λ４それぞれの光信号強度は−１．０ｄＢｍ，−１．５ｄＢｍ，−１．０ｄＢｍ，−１．３ｄＢｍとなる。
【００６５】
このように、制御部３５で時分割多重処理を行って、モニタ及び調整部３０−１〜３０−ＮそれぞれのＶＯＡ制御を行うことにより、制御部３５の回路規模を小さくすることができる。また、順序テーブルを用いて優先順位を付けてＶＯＡ制御を行うことで、ＶＯＡ制御の処理効率が向上し、システム全体のパフォーマンス向上に寄与することができる。
【００６６】
なお、上記実施形態では複数波長の信号光を波長毎に調整して同レベルとしたのち多重しているが、複数波長の信号光を波長毎に調整して同レベルとしたのちいずれかの波長の信号光を選択するような場合にも適用することができる。
（付記１）
複数波長の信号光の光信号強度を波長毎に光検出部で検出し、各波長の信号光それぞれを可変光減衰器で波長毎に調整して同レベルとする光信号調整装置において、
前記波長毎の光検出部の検出信号を順次選択し、選択した検出信号に基づいて前記波長毎の制御信号を生成する制御部を有し、
前記制御部で生成した制御信号を選択された検出信号に対応する可変光減衰器に供給することを特徴とする光信号調整装置。
（付記２）
付記１記載の光信号調整装置において、
前記制御部は、前記波長毎の光検出部の検出信号を選択する順序を示す順序テーブルを
有することを特徴とする光信号調整装置。
（付記３）
付記２記載の光信号調整装置において、
前記制御部は、前回の検出信号に対する最新の検出信号の変化量が大きい順に前記順序テーブルの示す選択順序を並べ替えることを特徴とする光信号調整装置。
（付記４）
付記２記載の光信号調整装置において、
前記制御部は、前記検出信号の値と制御目標値との偏差が大きい順に前記順序テーブルの示す選択順序を並べ替えることを特徴とする光信号調整装置。
（付記５）
複数波長の信号光の光信号強度を波長毎に光検出部で検出し、各波長の信号光それぞれを可変光減衰器で波長毎に調整して同レベルとする光信号調整方法において、
前記波長毎の光検出部の検出信号を順次選択し、選択した検出信号に基づいて前記波長毎の制御信号を生成し、
生成した制御信号を選択された検出信号に対応する可変光減衰器に供給することを特徴とする光信号調整方法。
（付記６）
付記５記載の光信号調整方法において、
前記波長毎の光検出部の検出信号を選択する順序を順序テーブルで示すことを特徴とする光信号調整方法。
（付記７）
付記６記載の光信号調整方法において、
前記前記順序テーブルは、前回の検出信号に対する最新の検出信号の変化量が大きい順に選択順序を並べ替えることを特徴とする光信号調整方法。
（付記８）
付記６記載の光信号調整方法において、
前記前記順序テーブルは、前記検出信号の値と制御目標値との偏差が大きい順に選択順序を並べ替えることを特徴とする光信号調整方法。
（付記９）
請求項１乃至４のいずれか１項記載の光信号調整装置を用いて構成した
ことを特徴とするＷＤＭ伝送装置。
【図面の簡単な説明】
【００６７】
【図１】従来のＷＤＭ伝送装置の一例のブロック図である。
【図２】従来の光信号レベル調整部の一例のブロック図である。
【図３】ＷＤＭ伝送装置の一実施形態のブロック図である。
【図４】光信号レベル調整部の一実施形態のブロック図である。
【図５】ＶＯＡ制御部及び比較及びメモリ部の一実施形態の機能ブロックである。
【図６】ＶＯＡ制御処理の一実施形態のフローチャートである。
【図７】前処理の一実施形態の詳細フローチャートである。
【図８】初期設定処理の一実施形態の詳細フローチャートである。
【図９】１回目のＶＯＡ制御処理の一実施形態の詳細フローチャートである。
【図１０】２回目以降のＶＯＡ制御処理の第１実施形態の詳細フローチャートである。
【図１１】２回目以降のＶＯＡ制御処理の第２実施形態の詳細フローチャートである。
【図１２】ＶＯＡ制御の一例について説明するための図である。
【図１３】ＶＯＡ制御における各データの一例を示す図である。
【図１４】ＶＯＡ制御のタイムチャートの一例を示す図である。
【符号の説明】
【００６８】
２１  光アンプ
２２  波長分離部
２３  光スイッチ
２４  光信号レベル調整部
２５  波長多重部
２６  送信アンプ
３０−１〜３０−Ｎ  モニタ及び調整部
３１  モニタ部
３２  調整部
３５  制御部
３６  選択部
３７  Ａ／Ｄ変換部
３８  補正処理部
３９  ＶＯＡ制御部
４０  比較及びメモリ部
４１  Ｄ／Ａ変換部
５１  設定閾値レベル算出部
５２  閾値メモリ
５３  設定閾値比較部
５４  変化量算出部
５５  ＶＯＡ制御部
５６  順序テーブル作成部
５７  順序テーブル用メモリ
５８  アドレス制御部
５９  制御メモリ
６０  データラッチ部
【図１】
0005098807.tif 000002
【図２】
0005098807.tif 000003
【図３】
0005098807.tif 000004
【図４】
0005098807.tif 000005
【図５】
0005098807.tif 000006
【図６】
0005098807.tif 000007
【図７】
0005098807.tif 000008
【図８】
0005098807.tif 000009
【図９】
0005098807.tif 000010
【図１０】
0005098807.tif 000011
【図１１】
0005098807.tif 000012
【図１２】
0005098807.tif 000013
【図１３】
0005098807.tif 000014
【図１４】
0005098807.tif 000015